【事件の表示】
　平成　６年特許願第１２７１２９号「画像処理装置および方法」拒絶査定不服審判事件〔平成　７年１１月２８日出願公開、特開平　７−３１１５６９〕について、次のとおり審決する。
【結　論】
　本件審判の請求は、成り立たない。
【理　由】
１．手続の経緯・本願発明 
　本願は、平成６年５月１８日に出願されたものであって、本願の請求項１〜３に係る発明は、平成１３年１２月２５日付け手続補正書、平成１４年７月１０日付け手続補正書及び平成１７年７月１５日付け手続補正書により補正された明細書及び図面の記載からみて、その特許請求の範囲の請求項１〜３に記載されたとおりのものであって、その請求項１に係る発明（以下、「本願発明」という。）は次のとおりのものと認める。
　　
【本願発明】「複数種類の，記憶媒体または画像信号発生源から与えられる画像信号をそれぞれ所定形式の画像データに変換する画像信号処理手段，
　上記画像信号処理手段から出力される画像データを，与えられる縮小率にしたがって，縮小画像を表わす縮小画像データに変換する画像縮小手段，
　少なくとも一画面分の画像データを記憶できる画像メモリ，
　マルチ画面を構成する複数の分割区画を規定する枠を表示画面に表示し，枠によって規定される複数の分割区画のうち画像を表示することを希望する区画の選択を，画面表示された分割区画を利用して受付ける区画選択手段，
　上記区画選択手段によって選択されたマルチ画面を構成する分割区画に表示すべき画像について，複数種類の記憶媒体または画像信号発生源のいずれかを選択する選択手段，
　上記選択手段によって選択された記憶媒体または画像信号発生源の複数駒の画像データのうち所望のものを指定する指定手段，
　上記区画選択手段によって選択された区画に上記指定手段により指定された所望の画像データにより表わされる画像を表示するように，上記選択手段によって選択された記憶媒体または画像信号発生源から与えられかつ上記画像信号処理手段によって変換された画像データ，または上記画像縮小手段によって縮小された縮小画像データをマルチ画面を構成できる配置で上記画像メモリに格納するマルチ画面構成手段，および
　上記画像メモリに記憶された画像データを表示に適した画像信号に変換して出力する画像信号出力手段，
　を備えた画像処理装置。」
 　 
２．当審の拒絶理由 
　一方、当審において平成１７年５月１６日付けで通知した拒絶の理由の概要は、本願発明は、本願出願前の平成５年６月１１日に頒布された特開平５−１４５８８４号公報（以下、「引用刊行物Ａ」という。）、同じく、本願の出願前の平成４年３月２３日に頒布された特開平４−８８４７７号公報（以下、「引用刊行物Ｂ」という。）、同じく、本願の出願前の平成５年８月１３日に頒布された特開平５−２０７４６９号公報（以下、「引用刊行物Ｃ」という。）、同じく、本願の出願前の平成２年３月２２日に頒布された特開平２−８１５８２号公報（以下、「引用刊行物Ｄ」という。）に記載された発明に基づいて当業者が容易に発明をすることできたものであるから、特許法第２９条第２項の規定により特許を受けることができない、とういうものである。 
 
３．引用刊行物記載の発明  
　上記引用刊行物Ａには、  
（Ａ−１）「【産業上の利用分野】本発明は、画像データ特に静止画像データを光ディスクに記録するファイリング方法およびその装置に関するものである。」（段落番号【０００１】）こと、 
（Ａ−２）「本発明は・・・より効率の高い画像データの記録保存と、保存された画像のより高い検索および操作性とが可能な新たな画像ファイリング方法およびその装置の提供を目的とする。」（段落番号【０００６】）こと、 
（Ａ−３）「図１を参照すると、実施例のファイリング処理装置10は、たとえばハイビジョンカメラ20および画像データ伸長装置30などの画像データ源から得られる画像信号を処理してCDライタ50によりコンパクトディスク(CD) 52 に記録保存する画像データファイリング装置である。・・・ファイリング処理装置10におけるファイリング処理は、たとえば、ハイビジョンカメラ20から入力されるアナログ画像信号を対応するディジタル画像データに変換するアナログ／ディジタル変換、色補正および階調補正、画像データの圧縮符号化、ならびにコンパクトディスク規格の記録フォーマットへの変換処理などの処理を含む。このファイリング処理はさらに、本実施例の重要な特徴のひとつとして、後述する複数画像の単一画面への合成も行なう。・・・画像データ伸長装置30は、たとえばディジタル電子スチルカメラ（図示せず）によりメモリカード32などの記憶媒体に記憶された静止画像データをこれから読み出して復号伸長し、結果の画像データをファイリング処理装置10へ出力する機能を有する装置である。本実施例では、画像データ伸長装置30でメモリカード32から得られる画像データは、図２にソース画像 130として示されているように、電子スチルカメラの標準規格、すなわちNTSCなどの標準規格テレビジョン画像と同じ画像サイズ、すなわち 488×640 の画素数である。またハイビジョンカメラ20からは、同図にソース画像 120として示されているように、画素数 960×1280の画像データが得られる。これらのソース画像130 および120 の画像データは、本実施例ではRGB 方式で各画素を８ビット階調で表わす。・・・ファイリング処理装置10は、ファイリング処理機能を実行するためフロッピーディスク(FD)12、ハードディスク(HD)14、一時記憶メモリ16、ならびにCRT などのモニタ表示器、ならびにキーボードおよび（または）マウスを有する表示操作装置40を擁している。」（段落番号【００１０】〜【００１３】）こと、 
（Ａ−４）「本実施例では、コンパクトディスク52・・・・に記録される画像データは、前述の規格サイズ、すなわち2048×3072画素で１画面200 （図２）を構成するフォーマットに収容される。この画像サイズは、ある種の高解像度フィルムスキャナ（図示せず）から得られる画像 110（図２）の画像サイズと同一である。本実施例の装置は、ハイビジョンカメラ20およびメモリカード32から得られる画像データの表わす規格サイズ以外の画像サイズの画像をこの規格サイズのフォーマットでコンパクトディスク52に記録するものである。・・・本実施例では、これらの規格サイズ以外のサイズの画像は、規格サイズの画面領域200 （図２）に複数配置して、いわゆるマルチ画面を作成し、このマルチ画面を表わす画像データを規格サイズの画像としてコンパクトディスク52に記録する。ファイリング処理装置10は、このような複数画像の単一画面への合成処理124（図２）も行なう。」（段落番号【００１４】）こと、 
（Ａ−５）「動作状態において、たとえばメモリカード32を画像データ伸長装置30に装填し、メモリカード32から所望の画像データを読み出す指示を表示操作装置40に入力すると、画像データ伸長装置30はこれに応動して、カード32に記録されている１コマの画像130 の画像データを読み出し、この画像データはファイリング処理装置10に入力されて一旦一時記憶メモリ16に蓄積される。処理装置10はまた、一時記憶メモリ16上の画像データの表わす画像を表示操作装置40の表示スクリーンに表示する。操作者は、この画像を見ながら表示操作装置40のキーボードまたはマウスを操作して、様々な画像処理の指示を入力することができる。ファイリング処理装置10は、これに応動してメモリ16上の画像データに、色および濃度補正等の画像処理を行ない、画像処理済の画像データをハードディスク14の作業領域に格納する。こうして処理装置10は、メモリカード32に蓄積されている複数の画像130 の画像データのそれぞれについて、カード32から読み出しては画像処理を施し、ハードディスク14にこれを蓄積する操作を行なう。ハイビジョンカメラ20から得られる画像データについても同様にして、画像処理を施してハードディスク14にこれを蓄積することができる。・・・ファイリング処理装置10は、ハードディスク 14 に電子スチルカメラフォーマットのソース画像130 の画像データが16枚分を完成したことに応動してそれらの画像データをハードディスク14から順次読み出し、一時記憶メモリ16における規格サイズの画像 200の記憶領域にこれを一時蓄積する。その際、図３に示すように、2048×3072画素の規格サイズの記憶領域に 488×640 の画素のソース画像 130を順次配列して、いわゆるマルチ画面を作成する。この例では、ソース画像130が♯1から♯16 の順に規格サイズ画面 200の水平および垂直方向に順番に配列され、マルチ画面200Bが完成する。このマルチ画面200Bは表示操作装置40の表示スクリーンに表示される。操作者は、操作表示装置40を操作してソース画像130 の選択や順序の入替えなどの編集を行なう。ハイビジョンカメラ20から得られるソース画像 120の場合は、図４に示すように、規格サイズ画面 200の水平および垂直方向にそれぞれ２画面ずつ、４画面で１つのマルチ画面200Cが構成される。操作者は、表示操作装置40にて編集終了を指示すると、ファイリング処理装置10はこれに応動して一時記憶メモリ16内の画像データ130 を指定された順に並び変え、編集された更新画像200Bが表示操作装置40のスクリーンに表示される。」（段落番号【００１５】、【００１６】）こと、 
（Ａ−６）「規格サイズのマルチ画像 200に組み込まれる画像数は、電子スチルカメラ規格のソース画像130 の場合２以上16以下、またハイビジョン規格のソース画像130の場合２以上４以下である。・・・必ずしも１枚の規格サイズの画像に含まれるソース画像がすべて同一サイズに限られることはなく、例えばソース画像120 が２枚、ソース画像130 が８枚というように編集してもよい。」（段落番号【００１８】）こと、 
（Ａ−７）「マルチ画像200Bおよび200Cに含まれる各ソース画像 130および 120の境界には、画像の枠付け122 （図２）を行なってもよい。この画像の枠付け122 は、規格サイズの画像 200の領域に対するソース画像 130または 120の画像の余白140 （図３および図４）を利用してファイリング処理装置10によって行なわれる。規格サイズの画像領域の１面を収納可能最大画像数、４または16で等分割すると、１区画のサイズはそれぞれ、1024×1536画素または 512×768 画素となる。これらのサイズを対応するソース画像120 または130 のサイズと比較すると、ソース画像の方が小さい。この余白140 はそのまま残しておいてもよいが、画像の枠付けに活用するのが有利である。」（段落番号【００２０】）こと、
（Ａ−８）「【発明の効果】このように本発明によれば、・・・再生の際、画素数の少ないソース画像は１画面に複数取り込まれて画面上に表示されるため、複数の画像の一括した視認、検索が容易となる。」（段落番号【００２０】）ことが記載されている。 
　上記（Ａ−１）〜（Ａ−８）を参照すると、上記引用刊行物Ａには、  
 「伸長装置３０を介したメモリカード３２およびハイビジョンカメラ２０からの異なる規格サイズの各画像データ出力を入力するファイリング処理装置１０を備え、ファイリング処理装置１０はＣＲＴなどのモニタ表示器、キーボード、マウスを有する表示操作装置４０の指示によりメモリカード３０およびハイビジョンカメラ２０からの異なる規格サイズの各画像データを読み出して一時記憶メモリ１６における規格サイズの画像２００の記憶領域に境界に枠付けが行われたソース画像を蓄積して表示操作装置４０のスクリーンにマルチ画面を表示する画像ファイリング装置。」の発明（以下、「引用発明」という。）が記載されている。  
　また、上記引用刊行物Ｂには、  
（Ｂ−１）「産業上の利用分野　本発明は、画像表示画面を分割した領域に画像を表示し、この画像を順次頁めくりして代えてゆく画像表示装置に関する。」（第１頁左下欄第１９行〜右下欄第２行）こと、
（Ｂ−２）「第１図は・・・入力画像データはフロッピーディスク、ドラム、光ディスクなどの記録媒体１０や通信により入力され、復元処理部１１で復元処理される。表示画面１５を何分割して表示するかを指定することにより各分割領域の大きさが決まるので、分割領域の大きさに対応して復元処理部１１で復元処理された画像データを頁ごとに拡大・縮小を行い表示用画像メモリ１３に格納する。次に、この表示用画像メモリ１３から頁ごとに画像データを読み出し、画像表示部１４の分割領域に各頁を順次表示して頁めくり表示を行う。」（第２頁左下欄最終行〜右下欄第１１行）ことが記載されている。  
　さらに、上記引用刊行物Ｃには、  
 （Ｃ−１）「遠方監視制御装置の監視局を図４に示し、制御局を図５に示している。この遠方監視制御装置は、監視局に備えたｎ個のカメラ１〜カメラｎが切換スイッチ１を介して画像入力メモリ２に接続され、Ｄチャネル送信制御部３より得られる制御コードによってカメラが指定される。・・・そして指定されたカメラから入力する画像データを、画像入力メモリ２に蓄積し、さらに画像データ処理制御部４で処理した後、・・・制御局へ送信する。制御局は、後述するモニタ上での一括分割表示の分割数（同図には４分割の場合が図示されている）に応じた数の画像メモリ１〜画像メモリ４を備え、・・また、監視局から送信されて来る画像データは、切換スイッチ１１を介して接続された画像メモリに蓄積され、画像メモリ１〜画像メモリ４のいずれに格納するかはＤチャネル受信制御部１２によって指定される。・・・従って、ＩＳＤＮ回線７のＤチャネルを使ってカメラの指定と画像メモリの指定を行うことにより、例えばカメラ１の画像データを画像メモリ１に、カメラ２の画像データを画像メモリ２に、カメラ３の画像データを画像メモリ４に、カメラ４の画像データを画像メモリ４に格納させることができる・・・そして各画像メモリ１〜４から各画像データを読出して、画像データ合成処理部１３で図３に示すように合成された４分割画面を作成する。この分割画面を画像出力メモリ１４に一旦格納し、・・・モニタ画面１５に表示する。」（段落番号【０００３】〜【０００８】）ことが記載されている。  
　そしてまた、上記引用刊行物Ｄには、  
（Ｄ−１）「本発明は記録画像表示装置、特にマルチ画面と全画面の表示を切り換えて表示する記録画像表示装置に関する。」（第１頁右下欄第１９行〜第２頁左上欄第１行）こと、  
（Ｄ−２）「第１図には本発明による記録画像表示装置の一実施例が示されている。本装置は外部ファイル１０から画像データを読み出すファイル読取部１２を有する。外部ファイル１０は、例えば追記型光ディスク記録装置が用いられる。・・・ファイル読取部１２の出力は信号線１０２によりスイッチ１４の入力端子に接続されている。スイッチ１４は・・・信号線１０２を信号線１０４または１０６と選択的に接続する。これにより、ファイル読取部１２からの出力を、２個のフレームバッファＦＢ１およびＦＢ２のいずれかに入力させる。・・・フレームバッファＦＢ１およびＦＢ２の出力は、それぞれ信号線１１０および１０８を通してスイッチ２０の入力端子に送られる。スイッチ２０は・・・信号線１０８または１１０を選択して信号線１１２に接続する。これにより、フレームバッファＦＢ１およびＦＢ２からの出力のいずれかが選択され、信号線１１２を通してディジタル・アナログ変換器２２に入力される。・・・この出力に出力されるアナログ信号は、・・・映像モニタ２４に供給される。・・・映像モニタ２４は・・・ＣＲＴ等のカラー画像モニタが有利に適用される。」（第２頁右下欄第２行〜第３頁右上欄第１８行）ことが記載されている。
（Ｄ−３）第２Ａ図の映像モニタ２４を参照すると、マルチ画面として１つの画面を複数の分割区画に分け、分割区画それぞれに画像データを表示していることが読みとれる。
  
４．対比  
　本願発明と引用発明とを対比する。  
　引用発明の「メモリカード３２」、「ハイビジョンカメラ２０」、「一時記憶メモリ１６における規格サイズの画像２００の記憶領域」、「画像ファイリング装置」がそれぞれ本願発明の「記録媒体」、「画像信号発生源」、「少なくとも一画面分の画像データを記憶できる画像メモリ」、「画像処理装置」に相当する。  また、引用刊行物Ａの上記（Ａ−２）に「ファイリング処理装置10におけるファイリング処理は、たとえば、ハイビジョンカメラ20から入力されるアナログ画像信号を対応するディジタル画像データに変換するアナログ／ディジタル変換、色補正および階調補正、画像データの圧縮符号化、ならびにコンパクトディスク規格の記録フォーマットへの変換処理などの処理を含む。」ことが記載されており、この処理は本願発明の「画像信号をそれぞれ所定形式の画像データに変換する画像信号処理手段」に相当するものである。 
　さらに、引用刊行物Ａの上記（Ａ−４）、（Ａ−６）を参照すると、メモリカード３２からの電子スチルカメラ規格のソース画像130を８枚、ハイビジョンカメラ２０からのハイビジョン規格のソース画像120を２枚それぞれ選択して規格サイズのマルチ画像２００の記録領域に組み込んで編集し、マルチ画面を作成してもよいことが記載されており、引用発明と本願発明とは、ともに「マルチ画面を構成する分割区画に表示すべき画像について，記憶媒体または画像信号発生源のいずれかを選択する選択手段」を有するものである。 
　そして、引用刊行物Ａの上記（Ａ−５）には、「たとえばメモリカード32を画像データ伸長装置30に装填し、メモリカード32から所望の画像データを読み出す指示を表示操作装置40に入力すると、画像データ伸長装置30はこれに応動して、カード32に記録されている１コマの画像130 の画像データを読み出し、この画像データはファイリング処理装置10に入力されて一旦一時記憶メモリ16に蓄積される。」ことが記載されているから、引用発明においても本願発明の「選択手段によって選択された記憶媒体または画像信号発生源の複数駒の画像データのうち所望のものを指定する指定手段」を有するものである。 
　そうすると、本願発明と引用発明とは、  
「記憶媒体または画像信号発生源から与えられる画像信号をそれぞれ所定形式の画像データに変換する画像信号処理手段，  
　少なくとも一画面分の画像データを記憶できる画像メモリ，  
　マルチ画面を構成する分割区画に表示すべき画像について，記憶媒体または画像信号発生源のいずれかを選択する選択手段，  
　上記選択手段によって選択された記憶媒体または画像信号発生源の複数駒の画像データのうち所望のものを指定する指定手段，  
　上記指定手段により指定された所望の画像データにより表わされる画像を表示するように，上記選択手段によって選択された記憶媒体または画像信号発生源から与えられかつ上記画像信号処理手段によって変換された画像データをマルチ画面を構成できる配置で上記画像メモリに格納するマルチ画面構成手段  
　を備えた画像処理装置。」である点で一致し、次の相違点（イ）〜（ニ）で相違している。  
・相違点（イ）  
　画像信号処理手段が記憶媒体または画像信号発生源から与えられる画像信号をそれぞれ所定形式の画像データに変換する際に、本願発明では「複数種類」の記録媒体または画像信号発生源の画像信号をそれぞれ所定形式の画像データに変換するのに対して、引用発明ではそのような構成がない点。 
　　
・相違点（ロ） 
　本願発明では「画像信号処理手段から出力される画像データを，与えられる縮小率にしたがって，縮小画像を表わす縮小画像データに変換する画像縮小手段」を設け、「画像縮小手段によって縮小された縮小画像データ」からもマルチ画面を構成しているのに対して、引用発明ではそのような「画像縮小手段」がない点。 
　　
・相違点（ハ）  
　本願発明では「マルチ画面を構成する複数の分割区画を規定する枠を表示画面に表示し，枠によって規定される複数の分割区画のうち画像を表示することを希望する区画の選択を，画面表示された分割区画を利用して受付ける区画選択手段」を有するのに対して、引用発明では「マルチ画面を構成する複数の分割区画を規定する枠を表示画面に表示」しているものの、「枠によって規定される複数の分割区画のうち画像を表示することを希望する区画の選択を，画面表示された分割区画を利用して受付ける区画選択手段」がない点。 
　　　
・相違点（ニ）  
　画像メモリに記憶された画像データを出力する際に、本願発明では「表示に適した画像信号に変換して出力する画像信号出力手段」を設けているのに対して、引用発明ではそのような「画像信号出力手段」がない点。
　　
５．当審の判断  
　そこで、上記相違点（イ）〜（ニ）について判断する。  
・相違点（イ）について  
　引用発明では記録媒体としてのメモリカード３２からの画像データと画像信号発生源としてのハイビジョンカメラ２０からの画像データとの２つの異なる種類の画像データを所定の形式の画像データに変換してマルチ画面上に表示しているが、上記引用刊行物Ａの上記（Ａ−４）には、メモリカード３２、ハイビジョンカメラ２０の異なる種類の画像データのほかに、ハイビジョンカメラ２０と同じく画像信号発生源であるが、異なる種類の画像データである高解像度フィルムスキャナからの画像１１０を共通の規格サイズの画像２００の記憶領域に蓄積することが記載されており、さらに、上記引用刊行物Ｂの上記（Ｂ−２）には画像信号発生源としての通信により入力される画像データのほかにフロッピーディスク、ドラム、光ディスクなどの異なる複数種類の記録媒体１０から入力される画像データを共通の復元処理部で処理し、分割した共通の分割領域表示画面、即ち、マルチ画面に表示することが記載されていることから、記録媒体または画像信号発生源を必要に応じて複数種類設ける程度のことは当業者が適宜なし得るものである。 
 　　
・相違点（ロ）について  
　引用発明ではメモリカード３２、ハイビジョンカメラ２０からの異なるサイズの画像データを縮小しないで入力される画像データのサイズのままで一時記憶メモリ１６に格納してマルチ画面を構成しているが、上記引用刊行物Ｂの上記（Ｂ−２）には、何分割して表示するかを指定されて決定されるマルチ画面を構成する分割領域の大きさに対応してフロッピーディスク、ドラム、光ディスク、通信などの異なる種類の入力画像データを拡大・縮小して表示用画像メモリに格納することが記載されており、引用発明のマルチ画面も、上記引用刊行物Ｂのマルチ画面もともに異なる種類の画像データをメモリに格納してマルチ画面表示するものであることから、引用発明においても、メモリカード３２、ハイビジョンカメラ２０からの画像データを何分割して表示するかを指定されて決定されるマルチ画面を構成する分割領域の大きさに応じて画像データを縮小すること、即ち、分割区画の大きさによって与えられる縮小率にしたがって、縮小画像を表わす縮小画像データに変換することは当業者であれば容易になし得るものである。 
　　
・相違点（ハ）について 
　上記引用刊行物Ｃの上記（Ｃ−１）の「ＩＳＤＮ回線７のＤチャネルを使ってカメラの指定と画像メモリの指定を行うことにより、例えばカメラ１の画像データを画像メモリ１に、カメラ２の画像データを画像メモリ２に、カメラ３の画像データを画像メモリ４に、カメラ４の画像データを画像メモリ４に格納させることができる。・・・そして各画像メモリ１〜４から各画像データを読出して、画像データ合成処理部１３で図３に示すように合成された４分割画面を作成する。この分割画面を画像出力メモリ１４に一旦格納し、・・・モニタ画面１５に表示する。」の記載を参照すれば、上記引用刊行物Ｃには、マルチ画面の各分割画面に対応した画像メモリとカメラをそれぞれ指定してマルチ画面を構成することが記載され、このマルチ画面の各分割画面に対応した画像メモリをそれぞれ指定することはマルチ画面を構成する複数の分割区画のうち画像を表示することを希望する区画を選択することを意味することから、上記引用刊行物Ｃにはマルチ画面を構成する「複数の分割区画のうち画像を表示することを希望する区画を選択する区画選択手段」を設けることが記載されている。
　そして、引用発明のマルチ画面も引用刊行物Ｃのマルチ画面もともに複数種類の画像データをマルチ画面に表示する点で共通するものであることから、引用発明においても「複数の分割区画を規定する枠を表示画面に表示」するマルチ画面において、「枠によつて規定される複数の分割区画のうち画像を表示することを希望する区画を選択する区画選択手段」を設けることは当業者が容易になし得るものである。
　さらに、マルチ画面の分割区画された区画を選択する際に、枠やカーソルにより分割区画された区画を指定して区画を選択すること、即ち、画面表示された分割区画を利用して区画を選択することは周知である（例えば、特開平４−２９５６８５号公報の段落番号【００３６】の「インデックスマルチ画面を見て再生したいところがあるとき、コントロールパネル４０の縮小画面選択ボタン４４を操作すると、選択した縮小画面の枠の色が変化するような機能をもたせることにより、指定した枠を移動させることにより希望の画面を選択することも可能となる。」の記載、特開平５−１４５８５２号公報の段落番号【０００４】の「このマルチ画面選択方式における画面選択方法としては、キャラクタ発生回路を用いてマルチ画面上にカーソルを表示し、そのカーソルをマウスまたはカーソル移動キー等を用いて移動させ、選択したい画像上にカーソルを位置させて選択実行の指令を与えることで、その画面を選択し、本来の画面サイズで表示すると云うものがある。」の記載、特開平６−８５３７号公報の段落番号【００４０】の「さて、図９Ａに示す画面の状態において、カーソルボタン４５〜４８を操作することによりカーソル５１を所望の画像の位置に移動させ、選択ボタン４３を押すことによって、マルチプリントを行う画像と、その位置を設定することができる。例えばいま、画像１、画像３、画像７、画像６の順序に４つの画像を選択したとすると、モニタ２４には図９Ｂに示すように選択された画像の領域内に選択された順序を示す数値が表示される。そして、図９Ｂに示す状態で実行ボタン４４が押されると、制御装置２１はどの画像がどのように配置されるのかを認識してグルーピング情報を作成し、図４Ｂに示すようにメモリカード２９の画像情報の関連情報の領域に書き込む。」の記載参照）から、マルチ画面を構成する複数の分割区画のうち画像を表示することを希望する区画を選択する際に、画面表示された分割区画を利用することは当業者が必要に応じて採用する程度の技術事項であって格別のものではない。
　
・相違点（ニ）について  
　引用発明では表示に適した画像信号に変換して出力する画像信号出力手段を設けることは記載されていないが、上記引用刊行物Ｄの上記（Ｄ−１）、（Ｄ−２）には複数の画像データを同一画面にマルチ表示する際に、「フレームバッファＦＢ１およびＦＢ２の出力のいずれかが選択され、信号線１１２を通してディジタル・アナログ変換器２２に入力される。・・・この出力に出力されるアナログ信号は、・・・映像モニタ２４に供給される」ことが記載されており、さらに、引用発明も上記引用刊行物Ｄに記載された発明もともに複数の画像データをマルチ画面上に表示するものであるから、引用発明においても画像メモリに記憶された画像データを出力する際に表示に適した画像信号に変換して出力する画像信号出力手段を設けることは当業者であれば容易になし得るものである。  
　そして、本願発明によってもたらされる効果は、上記引用発明、引用刊行物Ｂ〜Ｄに記載された発明及び周知の技術事項から予測される範囲内のものであり、格別のものではない。
　したがって、本願発明は、引用発明、引用刊行物Ｂ〜Ｄに記載された発明及び周知の技術事項に基づき当業者が容易に発明をすることができたものである。  
　　 
６．むすび 
　以上のとおりであるから、本願発明は、特許法第２９条第２項の規定により特許を受けることができないものであり、その余の請求項に係る発明について検討するまでもなく、本願は、拒絶をすべきものである。  　 
　
　よって、結論のとおり審決する。